(57)【要約】【課題】消費電力の削減とともにノイズの発生を低減して安定した維持放電を発生させることができ、画像表示品質のよいパネルの駆動方法およびプラズマディスプレイ装置を提供する。【解決手段】電力回収部１１０による走査電極駆動期間中および電力回収部２１０による維持電極駆動期間中に維持放電が発生しないように、クランプ部１２０が走査電極を電源ＶＳにクランプしているときに電圧補助部１３０はコンデンサＣ１０を電源ＶＳに接続するとともに電圧補助部２３０はコンデンサＣ２０を接地電位に接続し、クランプ部２２０が維持電極を電源ＶＳにクランプしているときに電圧補助部２３０はコンデンサＣ２０を電源ＶＳに接続するとともに電圧補助部１３０はコンデンサＣ１０を接地電位に接続して、コンデンサＣ１０、Ｃ２０の電圧を制御する。【選択図】図６
2007316490.tif 000002
【特許請求の範囲】
【請求項１】
走査電極と維持電極とからなる表示電極対を有する放電セルを複数備えたプラズマディスプレイパネルを、
１フィールド期間内に、前記放電セルで初期化放電を発生させる初期化期間と、前記放電セルで選択的に書込み放電を発生させる書込み期間と、輝度重みに応じた回数の維持パルスを印加して選択した放電セルで維持放電を発生させる維持期間とを有するサブフィールドを複数設けるとともに、
前記表示電極対の電極間容量に蓄積された電力を電力回収用のコンデンサに回収しその回収した電力を前記表示電極対に供給して前記維持パルスの立ち上がりおよび立ち下がりを行う電力回収部と、前記表示電極対のそれぞれを電源電圧または接地電位にクランプするクランプ部と、前記電力回収用のコンデンサを電源電圧または接地電位に接続する電圧補助部とを有する維持パルス発生回路を用いて駆動するプラズマディスプレイパネルの駆動方法であって、
前記維持期間において、前記電力回収部による駆動と前記クランプ部による駆動とを交互に切換えるとともに少なくとも前記表示電極対の一方を電源電圧にクランプしている期間は前記表示電極対の他方を接地電位にクランプするようにして維持パルスを発生させ、かつ前記表示電極対の一方を電源電圧にクランプしている期間内に、前記表示電極対の一方に電力を供給する前記電力回収用のコンデンサを電源電圧に接続するとともに前記表示電極対の他方に電力を供給する前記電力回収用のコンデンサを接地電位に接続する期間を設けた
ことを特徴とするプラズマディスプレイパネルの駆動方法。
【請求項２】
走査電極と維持電極とからなる表示電極対を有する放電セルを複数備えたプラズマディスプレイパネルと、
前記表示電極対の電極間容量に蓄積された電力を電力回収用のコンデンサに回収しその回収した電力を前記表示電極対に供給して維持パルスの立ち上がりおよび立ち下がりを行う電力回収部と、前記表示電極対のそれぞれを電源電圧にクランプするスイッチング素子および接地電位にクランプするスイッチング素子を備えたクランプ部と、前記電力回収用のコンデンサを電源電圧に接続するスイッチング素子および接地電位に接続するスイッチング素子を備えた電圧補助部とを有する維持パルス発生回路とを備え、
１フィールド期間内に、前記放電セルで初期化放電を発生させる初期化期間と、前記放電セルで選択的に書込み放電を発生させる書込み期間と、輝度重みに応じた回数の前記維持パルスを印加して選択した放電セルで維持放電を発生させる維持期間とを有するサブフィールドを複数設けたプラズマディスプレイ装置であって、
前記維持パルス発生回路は、前記維持期間において、前記電力回収部による駆動と前記クランプ部による駆動とを交互に切換えるとともに少なくとも前記表示電極対の一方を電源電圧にクランプしている期間は前記表示電極対の他方を接地電位にクランプするようにして維持パルスを発生させ、かつ前記表示電極対の一方を電源電圧にクランプしている期間内に、前記電圧補助部は前記表示電極対の一方に電力を供給する前記電力回収用のコンデンサを電源電圧に接続するとともに前記表示電極対の他方に電力を供給する前記電力回収用のコンデンサを接地電位に接続するように構成した
ことを特徴とするプラズマディスプレイ装置。
【請求項３】
前記維持パルス発生回路は、前記電力回収部による駆動から前記クランプ部による駆動に切換えた後で維持放電を発生させるように構成した
ことを特徴とする請求項２に記載のプラズマディスプレイ装置。
【請求項４】
前記電圧補助部は、インダクタを備え、前記インダクタを介して前記電力回収用のコンデンサを電源電圧に接続し、前記インダクタを介して前記電力回収用のコンデンサを接地電位に接続するように構成した
ことを特徴とする請求項３に記載のプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００４】
このようなプラズマディスプレイ装置では、消費電力を削減するために様々な消費電力削減技術が提案されている。特に維持期間における消費電力を削減する技術の１つとして、表示電極対のそれぞれが表示電極対の電極間容量を持つ容量性の負荷であることに着目し、インダクタを構成要素に含む共振回路を用いてそのインダクタと電極間容量とをＬＣ共振させ、電極間容量に蓄えられた電荷を電力回収用のコンデンサに回収し、回収した電荷を表示電極対の駆動に再利用する、いわゆる電力回収回路が開示されている（例えば、特許文献１参照）。
【特許文献１】特公平７−１０９５４２号公報
【発明の開示】
【発明が解決しようとする課題】
【０００５】
上述した電力回収回路においては、ＬＣ共振によって電荷の回収および再利用を行うため、駆動インピーダンスは比較的高い。そのため、電力回収回路による駆動中に放電が発生すると、放電によって電流量が急峻に増えることで一時的な電圧降下が生じ、それによって放電が不安定になる恐れがある。そこで、電力回収回路に加え、表示電極対のそれぞれを電源電圧または接地電位にクランプするクランプ回路を設けて維持パルス発生回路を構成し、電力回収回路による駆動からクランプ回路による駆動に切換えた後で放電開始電圧に到達するように構成する。これにより、インピーダンスの低いクランプ回路による駆動中に放電を発生させることができ、放電の際の電流量の急峻な増加による電圧降下の発生を防止することが可能となる。
【０００６】
しかしながら、共振回路はＬＣ共振によって電荷の移動を行うため、その動作を途中で停止することは難しく、電力回収回路からクランプ回路に切換わった後も、共振動作すなわちインダクタを電荷が移動する動作は、一定期間継続される。このため、表示電極対には、クランプによる印加電圧に加えこの共振動作による電圧がノイズとして印加されてしまい、このノイズは、放電を不安定にする原因となるだけでなく、不要輻射の原因ともなってしまう。
【０００７】
本発明はこれらの課題に鑑みなされたものであり、消費電力の削減とともにノイズの発生を低減して安定した維持放電を発生させ、画像表示品質のよいパネルの駆動方法およびプラズマディスプレイ装置を提供することを目的とする。
【課題を解決するための手段】
【０００８】
本発明のパネルの駆動方法は、走査電極と維持電極とからなる表示電極対を有する放電セルを複数備えたパネルを、１フィールド期間内に、放電セルで初期化放電を発生させる初期化期間と、放電セルで選択的に書込み放電を発生させる書込み期間と、輝度重みに応じた回数の維持パルスを印加して選択した放電セルで維持放電を発生させる維持期間とを有するサブフィールドを複数設けるとともに、表示電極対の電極間容量に蓄積された電力を電力回収用のコンデンサに回収しその回収した電力を表示電極対に供給して維持パルスの立ち上がりおよび立ち下がりを行う電力回収部と、表示電極対のそれぞれを電源電圧または接地電位にクランプするクランプ部と、電力回収用のコンデンサを電源電圧または接地電位に接続する電圧補助部とを有する維持パルス発生回路を用いて駆動するパネルの駆動方法であって、維持期間において、電力回収部による駆動とクランプ部による駆動とを交互に切換えるとともに少なくとも表示電極対の一方を電源電圧にクランプしている期間は表示電極対の他方を接地電位にクランプするようにして維持パルスを発生させ、かつ表示電極対の一方を電源電圧にクランプしている期間内に、表示電極対の一方に電力を供給する電力回収用のコンデンサを電源電圧に接続するとともに表示電極対の他方に電力を供給する電力回収用のコンデンサを接地電位に接続する期間を設けたことを特徴とする。これにより、消費電力の削減とともにノイズの発生を低減して安定した維持放電を発生させることが可能となる。
【０００９】
また、本発明のプラズマディスプレイ装置は、走査電極と維持電極とからなる表示電極対を有する放電セルを複数備えたパネルと、表示電極対の電極間容量に蓄積された電力を電力回収用のコンデンサに回収しその回収した電力を表示電極対に供給して維持パルスの立ち上がりおよび立ち下がりを行う電力回収部と、表示電極対のそれぞれを電源電圧にクランプするスイッチング素子および接地電位にクランプするスイッチング素子を備えたクランプ部と、電力回収用のコンデンサを電源電圧に接続するスイッチング素子および接地電位に接続するスイッチング素子を備えた電圧補助部とを有する維持パルス発生回路とを備え、１フィールド期間内に、放電セルで初期化放電を発生させる初期化期間と、放電セルで選択的に書込み放電を発生させる書込み期間と、輝度重みに応じた回数の維持パルスを印加して選択した放電セルで維持放電を発生させる維持期間とを有するサブフィールドを複数設けたプラズマディスプレイ装置であって、維持パルス発生回路は、維持期間において、電力回収部による駆動とクランプ部による駆動とを交互に切換えるとともに少なくとも表示電極対の一方を電源電圧にクランプしている期間は表示電極対の他方を接地電位にクランプするようにして維持パルスを発生させ、かつ表示電極対の一方を電源電圧にクランプしている期間内に、電圧補助部は表示電極対の一方に電力を供給する電力回収用のコンデンサを電源電圧に接続するとともに表示電極対の他方に電力を供給する電力回収用のコンデンサを接地電位に接続するように構成したことを特徴とする。この構成により、消費電力の削減とともにノイズの発生を低減して安定した維持放電を発生させることが可能となる。
【００１０】
また、本発明のプラズマディスプレイ装置では、維持パルス発生回路は、電力回収部による駆動からクランプ部による駆動に切換えた後で維持放電を発生させるように構成することが望ましい。
【００１１】
また、本発明のプラズマディスプレイ装置では、電圧補助部は、インダクタを備え、インダクタを介して電力回収用のコンデンサを電源電圧に接続し、インダクタを介して電力回収用のコンデンサを接地電位に接続するように構成してもかまわない。この構成では、消費電力をさらに削減することが可能となる。
【発明の効果】
【００１２】
本発明によれば、消費電力の削減とともにノイズの発生を低減して安定した維持放電を発生させ、画像表示品質のよいパネルの駆動方法およびプラズマディスプレイ装置を提供することが可能となる。
【発明を実施するための最良の形態】
【００１３】
以下、本発明の実施の形態におけるプラズマディスプレイ装置について、図面を用いて説明する。
【００１４】
（実施の形態１）
図１は、本発明の実施の形態１におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１５】
これら前面板２１と背面板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。本実施の形態においては、輝度向上のためにキセノン分圧を１０％とした放電ガスが用いられている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１６】
なお、パネル１０の構造は上述したものに限られるわけではなく、例えばストライプ状の隔壁を備えたものであってもよい。
【００１７】
図２は、本発明の実施の形態１におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００１８】
図３は、本発明の実施の形態１におけるプラズマディスプレイ装置１の回路ブロック図である。プラズマディスプレイ装置１は、パネル１０、画像信号処理回路５１、データ電極駆動回路５２、走査電極駆動回路５３、維持電極駆動回路５４、タイミング発生回路５５および各回路ブロックに必要な電源を供給する電源回路（図示せず）を備えている。
【００１９】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。
【００２０】
タイミング発生回路５５は、水平同期信号Ｈ、垂直同期信号Ｖをもとにして各回路ブロックの動作を制御する各種のタイミング信号を発生し、それぞれの回路ブロックへ供給する。走査電極駆動回路５３は、維持期間において走査電極ＳＣ１〜ＳＣｎに印加する維持パルスを発生するための維持パルス発生回路１００を有し、タイミング信号にもとづいて各走査電極ＳＣ１〜ＳＣｎをそれぞれ駆動する。維持電極駆動回路５４は、初期化期間において維持電極ＳＵ１〜ＳＵｎに電圧Ｖｅ１を印加する回路と、維持期間において維持電極ＳＵ１〜ＳＵｎに印加する維持パルスを発生するための維持パルス発生回路２００とを有し、タイミング信号にもとづいて維持電極ＳＵ１〜ＳＵｎを駆動する。
【００２１】
次に、パネル１０を駆動するための駆動電圧波形とその動作について説明する。プラズマディスプレイ装置１は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。初期化期間では初期化放電を発生し、続く書込み放電に必要な壁電荷を各電極上に形成する。このときの初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。書込み期間では、発光させるべき放電セルで選択的に書込み放電を発生し壁電荷を形成する。そして維持期間では、輝度重みに比例した数の維持パルスを表示電極対に交互に印加して、書込み放電を発生した放電セルで維持放電を発生させて発光させる。このときの比例定数を輝度倍率と呼ぶ。
【００２２】
図４は、本発明の実施の形態１におけるパネル１０の各電極に印加する駆動電圧波形図である。図４には、全セル初期化動作を行うサブフィールドと選択初期化動作を行うサブフィールドとを示している。
【００２３】
まず、全セル初期化動作を行うサブフィールドについて説明する。
【００２４】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００２５】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「ランプ電圧」とも記す）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００２６】
続く書込み期間では、維持電極ＳＵ１〜ＳＵｎに電圧Ｖｅ２を、走査電極ＳＣ１〜ＳＣｎに電圧Ｖｃを印加する。
【００２７】
次に、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２８】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００２９】
続く維持期間では、消費電力を削減するために電力回収回路を用いて駆動を行っているが、駆動電圧波形の詳細については後述することとして、ここでは維持期間における維持動作の概要について説明する。まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３０】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００３１】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。具体的には、維持電極ＳＵ１〜ＳＵｎを一旦０（Ｖ）に戻した後、走査電極ＳＣ１〜ＳＣｎに維持パルス電圧Ｖｓを印加する。すると、維持放電を起こした放電セルの維持電極ＳＵｉと走査電極ＳＣｉとの間で維持放電が起こる。そしてこの放電が収束する前、すなわち放電で発生した荷電粒子が放電空間内に十分残留している間に維持電極ＳＵ１〜ＳＵｎに電圧Ｖｅ１を印加する。これにより維持電極ＳＵｉと走査電極ＳＣｉとの間の電圧差が（Ｖｓ−Ｖｅ１）の程度まで弱まる。すると、データ電極Ｄｋ上の正の壁電荷を残したまま、走査電極ＳＣ１〜ＳＣｎ上と維持電極ＳＵ１〜ＳＵｎ上との間の壁電圧はそれぞれの電極に印加した電圧の差（Ｖｓ−Ｖｅ１）の程度まで弱められる。以下、この放電を「消去放電」と呼ぶ。
【００３２】
このように、最後の維持放電、すなわち消去放電を発生させるための電圧Ｖｓを走査電極ＳＣ１〜ＳＣｎに印加した後、所定の時間間隔（以下、「消去位相差Ｔｈ１」と呼称する）の後、表示電極対の電極間の電位差を緩和するための電圧Ｖｅ１を維持電極ＳＵ１〜ＳＵｎに印加する。こうして維持期間における維持動作が終了する。
【００３３】
次に、選択初期化動作を行うサブフィールドの動作について説明する。
【００３４】
選択初期化を行う初期化期間では、維持電極ＳＵ１〜ＳＵｎに電圧Ｖｅ１を、データ電極Ｄ１〜Ｄｍに０（Ｖ）をそれぞれ印加し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００３５】
続く書込み期間の動作は全セル初期化を行うサブフィールドの書込み期間の動作と同様であるため説明を省略する。
【００３６】
続く維持期間では、全セル初期化動作を行うサブフィールドの維持期間と同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００３７】
そして、維持期間の最後には、全セル初期化動作を行うサブフィールドの維持期間と同様に、消去放電を発生させるための電圧Ｖｓを走査電極ＳＣ１〜ＳＣｎに印加し、消去位相差Ｔｈ１の後、表示電極対の電極間の電位差を緩和するための電圧Ｖｅ１を維持電極ＳＵ１〜ＳＵｎに印加する。
【００３８】
次に、サブフィールド構成について説明する。図５は、本発明の実施の形態１におけるサブフィールド構成を示す図である。本実施の形態では、１フィールドを１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つものとする。また、第１ＳＦの初期化期間では全セル初期化動作を行い、第２ＳＦ〜第１０ＳＦの初期化期間では選択初期化動作を行うものとする。また各サブフィールドの維持期間においては、それぞれのサブフィールドの輝度重みに所定の輝度倍率を乗じた数の維持パルスが表示電極対のそれぞれに印加される。
【００３９】
しかし、本発明はサブフィールド数や各サブフィールドの輝度重みが上記の値に限定されるものではない。また、画像信号等にもとづいてサブフィールド構成を切換える構成であってもよい。
【００４０】
次に、維持パルス発生回路１００、２００の詳細とその動作について説明する。図６は、本発明の実施の形態１における維持パルス発生回路１００、２００の回路図である。なお、図６にはパネル１０の電極間容量をＣｐとして示し、走査パルスおよび初期化電圧波形を発生させる回路は省略している。
【００４１】
維持パルス発生回路１００は、電力回収部１１０とクランプ部１２０と電圧補助部１３０とを備えている。電力回収部１１０は、電力回収用のコンデンサＣ１０、スイッチング素子Ｑ１１、Ｑ１２、逆流防止用のダイオードＤ１１、Ｄ１２、共振用のインダクタＬ１０を有している。また、クランプ部１２０は、電圧値がＶｓである電源ＶＳに走査電極２２をクランプするためのスイッチング素子Ｑ１３、および走査電極２２を接地電位にクランプするためのスイッチング素子Ｑ１４を有している。また、電圧補助部１３０は、電力回収用のコンデンサＣ１０を電源ＶＳに接続するためのスイッチング素子Ｑ１５、および電力回収用のコンデンサＣ１０を接地するためのスイッチング素子Ｑ１６を有している。そして電力回収部１１０およびクランプ部１２０は走査パルス発生回路（維持期間中は短絡状態となるため図示せず）を介して電極間容量Ｃｐの一端である走査電極２２に接続されている。
【００４２】
電力回収部１１０は、電極間容量ＣｐとインダクタＬ１０とをＬＣ共振させて維持パルスの立ち上がりおよび立ち下がりを行う。維持パルスの立ち上がり時には、電力回収用のコンデンサＣ１０に蓄えられている電荷をスイッチング素子Ｑ１１、ダイオードＤ１１およびインダクタＬ１０を介して電極間容量Ｃｐに移動する。維持パルスの立ち下がり時には、電極間容量Ｃｐに蓄えられた電荷を、インダクタＬ１０、ダイオードＤ１２およびスイッチング素子Ｑ１２を介して電力回収用のコンデンサＣ１０に戻す。こうして走査電極２２へ維持パルスを印加する。このように、電力回収部１１０は電源から電力を供給されることなくＬＣ共振によって走査電極２２の駆動を行うため、理想的には消費電力が０となる。なお、電力回収用のコンデンサＣ１０は電極間容量Ｃｐに比べて十分に大きい容量を持ち、電力回収部１１０の電源として働くように、電源ＶＳの電圧値Ｖｓの半分の約Ｖｓ／２に充電されている。
【００４３】
電圧クランプ部１２０は、スイッチング素子Ｑ１３を介して走査電極２２を電源ＶＳに接続し、走査電極２２を電圧Ｖｓにクランプする。また、スイッチング素子Ｑ１４を介して走査電極２２を接地し、０（Ｖ）にクランプする。このようにして電圧クランプ部１２０は走査電極２２を駆動する。したがって、電圧クランプ部１２０による電圧印加時のインピーダンスは小さく、強い維持放電による大きな放電電流を安定して流すことができる。
【００４４】
電圧補助部１３０は、スイッチング素子Ｑ１５を介して電力回収用のコンデンサＣ１０を電源ＶＳに接続し、スイッチング素子Ｑ１６を介して電力回収用のコンデンサＣ１０を接地する。これにより、電源ＶＳの電圧値Ｖｓの半分の約Ｖｓ／２に充電されている電力回収用のコンデンサＣ１０の電位を電圧値Ｖｓ側あるいは接地電位側に変動させる。この詳細については後述する。
【００４５】
こうして維持パルス発生回路１００は、スイッチング素子Ｑ１１、Ｑ１２、Ｑ１３、Ｑ１４を制御することによって電力回収部１１０と電圧クランプ部１２０とを用いて走査電極２２に維持パルスを印加する。さらに、スイッチング素子Ｑ１５、Ｑ１６を制御することによって、電圧補助部１３０を用いて電力回収用のコンデンサＣ１０の電位を電圧値Ｖｓ側あるいは接地電位側に変動させる。なお、これらのスイッチング素子は、ＭＯＳＦＥＴやＩＧＢＴ等の一般に知られた素子を用いて構成することができる。
【００４６】
維持パルス発生回路２００は、電力回収用のコンデンサＣ２０、スイッチング素子Ｑ２１、Ｑ２２、逆流防止用のダイオードＤ２１、Ｄ２２、共振用のインダクタＬ２０を有する電力回収部２１０と、維持電極２３を電圧Ｖｓにクランプするためのスイッチング素子Ｑ２３および維持電極２３を接地電位にクランプするためのスイッチング素子Ｑ２４を有するクランプ部２２０と、電力回収用のコンデンサＣ２０を電源ＶＳに接続するためのスイッチング素子Ｑ２５および電力回収用のコンデンサＣ２０を接地するためのスイッチング素子Ｑ２６を有する電圧補助部２３０とを備え、パネル１０の電極間容量Ｃｐの一端である維持電極２３に接続されている。なお、維持パルス発生回路２００の動作は維持パルス発生回路１００の動作と同様であるので説明を省略する。
【００４７】
また、図６には、表示電極対の電極間の電位差を緩和するための電圧Ｖｅ１を発生する電源ＶＥ、電圧Ｖｅ１を維持電極２３に印加するためのスイッチング素子Ｑ２８、Ｑ２９もあわせて示している。
【００４８】
次に、維持パルス発生回路１００、２００の動作と維持パルスの詳細について説明する。図７は、本発明の実施の形態１における維持パルス発生回路１００、２００の動作を示すタイミングチャートである。ここでは、維持パルスの繰り返し周期（以下、「維持周期」と略記する）の１周期分をＴ１〜Ｔ６で示した６つの期間に分割し、それぞれの期間について説明する。なお、図７では、電力回収用のコンデンサＣ１０の電圧をＶｃ１、電力回収用のコンデンサＣ２０の電圧をＶｃ２として表す。また、以下の説明において、スイッチング素子を導通させる動作をＯＮ、遮断させる動作をＯＦＦと表記する。また、この繰り返し周期とは、維持期間において表示電極対に繰り返し印加される維持パルスの間隔のことであり、例えば、期間Ｔ１〜Ｔ６によって繰り返される周期のことを表す。また、図７では、正極の波形を用いて説明をするが、本発明はこれに限られるものではない。例えば、負極の波形における実施の形態例は省略するが、以下の説明の正極の波形において「立ち上がり」と表現しているものを、負極の波形においては「立ち下がり」に、正極の波形において「立ち下がり」と表現しているものを、負極の波形においては「立ち上がり」に読みかえることで、負極の波形であっても同様の効果を得ることができるものである。
【００４９】
（期間Ｔ１）
時刻ｔ１でスイッチング素子Ｑ１１をＯＮにする。すると、電力回収用のコンデンサＣ１０からスイッチング素子Ｑ１１、ダイオードＤ１１、インダクタＬ１０を通して走査電極２２へ電荷が移動し始め、走査電極２２の電圧が上がり始める。また、電力回収用のコンデンサＣ１０から走査電極２２へ電荷が移動することで、電力回収用のコンデンサＣ１０の電圧は緩やかに下降し始める。そして、時刻ｔ２直前での電力回収用のコンデンサＣ１０の電圧は電源ＶＳの電圧値Ｖｓの半分のＶｓ／２よりも約１０（Ｖ）低い値となる。
【００５０】
また、時刻ｔ１でスイッチング素子Ｑ２４をＯＮにする。すると、維持電極２３はスイッチング素子Ｑ２４を通して接地されるため、維持電極２３の電圧は０（Ｖ）にクランプされる。
【００５１】
（期間Ｔ２）
そして、本実施の形態においては、電力回収部１１０による走査電極２２への印加電圧が極大値となる時刻ｔ２でスイッチング素子Ｑ１１をＯＦＦにし、スイッチング素子Ｑ１３をＯＮにする。すると、走査電極２２はスイッチング素子Ｑ１３を通して電源ＶＳへ接続されるため、走査電極２２は電圧Ｖｓにクランプされ、書込み放電を起こした放電セルにおいて走査電極２２と維持電極２３との間の電圧差が放電開始電圧を超え、維持放電が発生する。そして、この時刻ｔ２においては、インダクタＬ１０を通過する電荷量は極小となり、そのときにスイッチング素子Ｑ１１をＯＦＦにするので、走査電極２２が電圧Ｖｓにクランプされる際にインダクタＬ１０を通過する電荷によって発生するノイズを最小に抑えることができる。また、本実施の形態では、時刻ｔ２に達するまでの電力回収部１１０による走査電極２２の駆動期間中に維持放電が発生しないよう電力回収用のコンデンサＣ１０の電圧を制御している。そのため、この時刻ｔ２直前において、電力回収用のコンデンサＣ１０の電圧はＶｓ／２よりも約１０（Ｖ）低くなっており、したがって、電力回収部１１０による走査電極２２の駆動期間中には放電セルにおける印加電圧は放電開始電圧に到達せず、維持放電は発生しない。そして、クランプ部１２０による走査電極２２の電圧Ｖｓへのクランプ後に、維持放電が発生する。
【００５２】
なお、本実施の形態では、電力回収用のコンデンサＣ１０、Ｃ２０の電圧を制御するために、期間Ｔ２の間で電圧補助部１３０のスイッチング素子Ｑ１５および電圧補助部２３０のスイッチング素子Ｑ２６の制御を行っている。これを期間Ｔ２１、期間Ｔ２２、期間Ｔ２３の３つの期間に分けて説明する。
【００５３】
（期間Ｔ２１）
時刻ｔ２では、スイッチング素子Ｑ１１をＯＦＦにすることにより電力回収用のコンデンサＣ１０から走査電極２２への電荷の移動が停止するため、電力回収用のコンデンサＣ１０の電圧下降は止まる。そして時刻ｔ２から時刻ｔ２ａまでの期間Ｔ２１では、スイッチング素子Ｑ１５およびスイッチング素子Ｑ２６はＯＦＦのままであり、電力回収用のコンデンサＣ１０およびコンデンサＣ２０に電圧変動は生じない。
【００５４】
（期間Ｔ２２）
そして時刻ｔ２ａでスイッチング素子Ｑ１５をＯＮにする。これにより、電力回収用のコンデンサＣ１０はスイッチング素子Ｑ１５を介して電源ＶＳへ接続され、コンデンサＣ１０の電圧は急峻に上昇する。また、時刻ｔ２ａでスイッチング素子Ｑ２６をＯＮにする。これにより、電力回収用のコンデンサＣ２０はスイッチング素子Ｑ２６を介して接地され、コンデンサＣ２０の電圧は急峻に下降する。
【００５５】
（期間Ｔ２３）
そして、電力回収用のコンデンサＣ１０の電圧が電源ＶＳの電圧値Ｖｓの半分のＶｓ／２よりも約１０（Ｖ）高くなる時刻ｔ２ｂでスイッチング素子Ｑ１５をＯＦＦにする。これにより、電力回収用のコンデンサＣ１０の電圧はＶｓ／２よりも約１０（Ｖ）高い状態に維持される。また、電力回収用のコンデンサＣ２０の電圧がＶｓ／２よりも約１０（Ｖ）低くなる時刻ｔ２ｂでスイッチング素子Ｑ２６をＯＦＦにする。これにより、電力回収用のコンデンサＣ２０の電圧はＶｓ／２よりも約１０（Ｖ）低い状態に維持される。
【００５６】
（期間Ｔ３）
時刻ｔ３でスイッチング素子Ｑ１２をＯＮにする。すると、走査電極２２からインダクタＬ１０、ダイオードＤ１２、スイッチング素子Ｑ１２を通してコンデンサＣ１０に電荷が移動し始め、走査電極２２の電圧が下がり始める。また、走査電極２２から電力回収用のコンデンサＣ１０へ電荷が移動することで、電力回収用のコンデンサＣ１０の電圧は緩やかに上昇し始める。そして、時刻ｔ４直前での電力回収用のコンデンサＣ１０の電圧はＶｓ／２よりも約１０（Ｖ）高い値となる。
【００５７】
（期間Ｔ４）
そして、電力回収部１１０による走査電極２２への印加電圧が極小値となる時刻ｔ４でスイッチング素子Ｑ１２をＯＦＦにし、スイッチング素子Ｑ１４をＯＮにする。すると、走査電極２２はスイッチング素子Ｑ１４を通して接地されるため、走査電極２２は０（Ｖ）にクランプされる。そして、この時刻ｔ４においては、インダクタＬ１０を通過する電荷量は極小となり、そのときにスイッチング素子Ｑ１２をＯＦＦにするので、走査電極２２が０（Ｖ）にクランプされる際にインダクタＬ１０を通過する電荷によって発生するノイズを最小に抑えることができる。また、走査電極２２から電力回収用のコンデンサＣ１０への電荷の移動が止まるため、電力回収用のコンデンサＣ１０の電圧上昇は時刻ｔ４で止まる。
【００５８】
また、時刻ｔ４でスイッチング素子Ｑ２１をＯＮにする。すると、電力回収用のコンデンサＣ２０からスイッチング素子Ｑ２１、ダイオードＤ２１、インダクタＬ２０を通して維持電極２３へ電荷が移動し始め、維持電極２３の電圧が上がり始める。そして、電力回収用のコンデンサＣ２０から維持電極２３へ電荷が移動することで、電力回収用のコンデンサＣ２０の電圧は緩やかに下降し始める。
【００５９】
（期間Ｔ５）
そして、本実施の形態においては、電力回収部２１０による維持電極２３への印加電圧が極大値となる時刻ｔ５でスイッチング素子Ｑ２１をＯＦＦにし、スイッチング素子Ｑ２３をＯＮにする。すると、維持電極２３はスイッチング素子Ｑ２３を通して電源ＶＳへ接続されるため、維持電極２３は電圧Ｖｓにクランプされ、書込み放電を起こした放電セルにおいて走査電極２２と維持電極２３との間の電圧差が放電開始電圧を超え、維持放電が発生する。そして、この時刻ｔ５においては、インダクタＬ２０を通過する電荷量は極小となり、そのときにスイッチング素子Ｑ２１をＯＦＦにするので、維持電極２３が電圧Ｖｓにクランプされる際にインダクタＬ２０を通過する電荷によって発生するノイズを最小に抑えることができる。また、本実施の形態では、時刻ｔ５に達するまでの電力回収部２１０による維持電極２３の駆動期間中に維持放電が発生しないよう電力回収用のコンデンサＣ２０の電圧を制御している。そのため、この時刻ｔ５直前において、電力回収用のコンデンサＣ２０の電圧はＶｓ／２よりも約１０（Ｖ）低くなっており、したがって、電力回収部２１０による維持電極２３の駆動期間中には放電セルにおける印加電圧は放電開始電圧に到達せず、維持放電は発生しない。そして、クランプ部２２０による維持電極２３の電圧Ｖｓへのクランプ後に、維持放電が発生する。
【００６０】
なお、本実施の形態では、電力回収用のコンデンサＣ１０、Ｃ２０の電圧を制御するために、期間Ｔ５の間においても電圧補助部１３０のスイッチング素子Ｑ１５および電圧補助部２３０のスイッチング素子Ｑ２６の制御を行っている。これを期間Ｔ５１、期間Ｔ５２、期間Ｔ５３の３つの期間に分けて説明する。
【００６１】
（期間Ｔ５１）
時刻ｔ５では、スイッチング素子Ｑ２１をＯＦＦにすることにより電力回収用のコンデンサＣ２０から維持電極２３への電荷の移動が停止するため、電力回収用のコンデンサＣ２０の電圧下降は止まる。そして時刻ｔ５から時刻ｔ５ａまでの期間Ｔ５１では、スイッチング素子Ｑ１５およびスイッチング素子Ｑ２６はＯＦＦのままであり、電力回収用のコンデンサＣ１０およびコンデンサＣ２０に電圧変動は生じない。
【００６２】
（期間Ｔ５２）
そして時刻ｔ５ａでスイッチング素子Ｑ２５をＯＮにする。これにより、電力回収用のコンデンサＣ２０はスイッチング素子Ｑ２５を介して電源ＶＳへ接続され、コンデンサＣ２０の電圧は急峻に上昇する。また、時刻ｔ５ａでスイッチング素子Ｑ１６をＯＮにする。これにより、電力回収用のコンデンサＣ１０はスイッチング素子Ｑ１６を介して接地され、コンデンサＣ１０の電圧は急峻に下降する。
【００６３】
（期間Ｔ５３）
そして、電力回収用のコンデンサＣ２０の電圧が電源ＶＳの電圧値Ｖｓの半分のＶｓ／２よりも約１０（Ｖ）高くなる時刻ｔ５ｂでスイッチング素子Ｑ２５をＯＦＦにする。これにより、電力回収用のコンデンサＣ２０の電圧はＶｓ／２よりも約１０（Ｖ）高い状態に維持される。また、電力回収用のコンデンサＣ１０の電圧がＶｓ／２よりも約１０（Ｖ）低くなる時刻ｔ５ｂでスイッチング素子Ｑ１６をＯＦＦにする。これにより、電力回収用のコンデンサＣ１０の電圧はＶｓ／２よりも約１０（Ｖ）低い状態に維持される。
【００６４】
（期間Ｔ６）
時刻ｔ６でスイッチング素子Ｑ２２をＯＮにする。すると、維持電極２３からインダクタＬ２０、ダイオードＤ２２、スイッチング素子Ｑ２２を通してコンデンサＣ２０に電荷が移動し始め、維持電極２３の電圧が下がり始める。また、維持電極２３から電力回収用のコンデンサＣ２０へ電荷が移動することで、電力回収用のコンデンサＣ２０の電圧は緩やかに上昇し始める。そして、次の時刻ｔ１直前での電力回収用のコンデンサＣ２０の電圧はＶｓ／２よりも約１０（Ｖ）高い値となる。
【００６５】
そして、電力回収部２１０による維持電極２３への印加電圧が極小値となる次の時刻ｔ１でスイッチング素子Ｑ２２をＯＦＦにし、スイッチング素子Ｑ２４をＯＮにする。すると、維持電極２３はスイッチング素子Ｑ２４を通して接地されるため、維持電極２３は０（Ｖ）にクランプされる。そして、この時刻ｔ１においては、インダクタＬ２０を通過する電荷量は極小となり、そのときにスイッチング素子Ｑ２２をＯＦＦにするので、維持電極２３が０（Ｖ）にクランプされる際にインダクタＬ１０を通過する電荷によって発生するノイズを最小に抑えることができる。また、維持電極２３から電力回収用のコンデンサＣ２０への電荷の移動が止まるため、電力回収用のコンデンサＣ２０の電圧上昇は時刻ｔ１で止まる。
【００６６】
なお、維持パルス発生回路１００、２００の出力インピーダンスを下げるために、維持電極２３を０（Ｖ）にクランプしていたスイッチング素子Ｑ２４は時刻ｔ４直前に、走査電極２２を電圧Ｖｓにクランプしていたスイッチング素子Ｑ１３は時刻ｔ３直前にＯＦＦにすることが望ましく、走査電極２２を０（Ｖ）にクランプしていたスイッチング素子Ｑ１４は時刻ｔ１直前に、維持電極２３を電圧Ｖｓにクランプしていたスイッチング素子Ｑ２３は時刻ｔ６直前にＯＦＦにすることが望ましい。
【００６７】
以上の期間Ｔ１〜Ｔ６の動作を繰り返すことにより、本実施の形態における維持パルス発生回路１００、２００は必要な数の維持パルスを走査電極２２、維持電極２３に印加する。
【００６８】
以上説明したように、本実施の形態では、維持パルス発生回路１００、２００に電圧補助部１３０、２３０を設けた構成とし、電力回収用のコンデンサＣ１０、Ｃ２０の電位を電圧値Ｖｓ側および接地電位側に変動させる。これにより、電力回収部１１０から走査電極２２へ印加する電圧が極大値となる時刻ｔ２まで電力回収部１１０による駆動を継続しても維持放電が発生しないようにし、電力回収部２１０から維持電極２３へ印加する電圧が極大値となる時刻ｔ５まで電力回収部２１０による駆動を継続しても維持放電が発生しないようにしている。したがって、インダクタＬ１０を通過する電荷量が極小となる時刻ｔ２においてクランプ部１２０による駆動に切換え、インダクタＬ２０を通過する電荷量が極小となる時刻ｔ５においてクランプ部２２０による駆動に切換えることができ、電力回収部からクランプ部に駆動を切換える際にインダクタを通過する電荷によって発生するノイズを低減することが可能となる。
【００６９】
なお、本実施の形態では、図面には電圧補助部１３０と電力回収用のコンデンサＣ１０との間および電圧補助部２３０と電力回収用のコンデンサＣ２０との間に何も挿入していない構成を示したが、電流制限用の抵抗等をそこに挿入するか、あるいはスイッチング素子Ｑ１５、Ｑ１６、Ｑ２５、Ｑ２６に電流の制限機能を持たせた構成とすることが望ましい。
【００７０】
（実施の形態２）
本発明の実施の形態２におけるパネル１０の構造、駆動電圧波形の概要等は実施の形態１と同様である。本実施の形態が実施の形態１と異なる点は、電圧補助部におけるスイッチング素子と電力回収用のコンデンサとの間にインダクタを挿入した点である。
【００７１】
本実施の形態における維持パルス発生回路１００、２００とその動作について説明する。図８は、本発明の実施の形態２における維持パルス発生回路１００、２００の回路図である。
【００７２】
維持パルス発生回路１００は、電力回収部１１０とクランプ部１２０と電圧補助部１３１とを備えている。また、維持パルス発生回路２００は、電力回収部２１０とクランプ部２２０と電圧補助部２３１とを備えている。なお、図８における電力回収部１１０、２１０およびクランプ部１２０、２２０は図６に示した電力回収部１１０、２１０およびクランプ部１２０、２２０と同様であるため説明を省略する。
【００７３】
電圧補助部１３１は、スイッチング素子Ｑ１５、Ｑ１６およびインダクタＬ１１を有している。そして、スイッチング素子Ｑ１５およびインダクタＬ１１を介して電力回収用のコンデンサＣ１０を電源ＶＳに接続し、スイッチング素子Ｑ１６およびインダクタＬ１１を介して電力回収用のコンデンサＣ１０を接地する。これにより、電源ＶＳの電圧値Ｖｓの半分の約Ｖｓ／２に充電されている電力回収用のコンデンサＣ１０の電位を電圧値Ｖｓ側あるいは接地電位側に変動させる。
【００７４】
また、電圧補助部２３１は、スイッチング素子Ｑ２５、Ｑ２６およびインダクタＬ２１を有している。そして、スイッチング素子Ｑ２５およびインダクタＬ２１を介して電力回収用のコンデンサＣ２０を電源ＶＳに接続し、スイッチング素子Ｑ２６およびインダクタＬ２１を介して電力回収用のコンデンサＣ２０を接地する。これにより、電源ＶＳの電圧値Ｖｓの半分の約Ｖｓ／２に充電されている電力回収用のコンデンサＣ２０の電位を電圧値Ｖｓ側あるいは接地電位側に変動させる。
【００７５】
次に、この動作について説明する。図９は、本発明の実施の形態２における維持パルス発生回路１００、２００の動作を示すタイミングチャートである。なお、図９においては、図７と同様に維持周期の１周期分をＴ１〜Ｔ６で示した６つの期間に分割しているが、期間Ｔ１、Ｔ３、Ｔ４、Ｔ６については、図７に示したものと同様であり、また、期間Ｔ２、Ｔ５についてもほぼ同様であるため、ここでは、期間Ｔ２、Ｔ５のうち図７に示したものと異なる動作について説明する。
【００７６】
（期間Ｔ２）
期間Ｔ２では、電力回収用のコンデンサＣ１０、Ｃ２０の電圧を制御するために、電圧補助部１３０のスイッチング素子Ｑ１５および電圧補助部２３０のスイッチング素子Ｑ２６の制御を行っている。これを期間Ｔ２１、期間Ｔ２２、期間Ｔ２３の３つの期間に分けて説明する。
【００７７】
（期間Ｔ２１）
時刻ｔ２では、スイッチング素子Ｑ１１をＯＦＦにすることにより電力回収用のコンデンサＣ１０から走査電極２２への電荷の移動が停止するため、電力回収用のコンデンサＣ１０の電圧下降は止まる。そして時刻ｔ２から時刻ｔ２ａまでの期間Ｔ２１では、スイッチング素子Ｑ１５およびスイッチング素子Ｑ２６はＯＦＦのままであり、電力回収用のコンデンサＣ１０およびコンデンサＣ２０に電圧変動は生じない。
【００７８】
（期間Ｔ２２）
そして時刻ｔ２ａでスイッチング素子Ｑ１５をＯＮにする。これにより、電力回収用のコンデンサＣ１０はスイッチング素子Ｑ１５を介して電源ＶＳへ接続され、コンデンサＣ１０の電圧は急峻に上昇する。そして、本実施の形態では、期間Ｔ２２の途中の時刻ｔ２ｃにおいて、スイッチング素子Ｑ１５をＯＦＦにする。これによりコンデンサＣ１０は電源ＶＳとの接続を絶たれるが、インダクタＬ１１のインダクタンスにより、インダクタＬ１１を通ってコンデンサＣ１０へ向かう電荷の移動がただちに停止することはなく、新たな電荷が接地電位から汲み上げられスイッチング素子Ｑ１６の寄生ダイオードを通ってインダクタＬ１１に供給されることで、コンデンサＣ１０への電荷の移動は時刻ｔ２ｃ以降も継続される。なお、ここでの時刻ｔ２ｃは、インダクタＬ１１を通ってコンデンサＣ１０へ向かう電荷の移動が、時刻ｔ２ｂ、すなわち、電力回収用のコンデンサＣ１０の電圧が電源ＶＳの電圧値Ｖｓの半分のＶｓ／２よりも約１０（Ｖ）高くなる時点で停止するように設定する。
【００７９】
また、時刻ｔ２ａでスイッチング素子Ｑ２６をＯＮにする。これにより、電力回収用のコンデンサＣ２０はスイッチング素子Ｑ２６を介して接地され、コンデンサＣ２０の電圧は急峻に下降する。なお、スイッチング素子Ｑ２６は、上述と同様に、期間Ｔ２２の途中の時刻ｔ２ｃにおいてＯＦＦする。これによりコンデンサＣ２０は接地電位との接続を絶たれるが、インダクタＬ２１のインダクタンスにより、インダクタＬ２１を通過する電荷の移動がただちに停止することはなく、スイッチング素子Ｑ２５の寄生ダイオードを通って電源ＶＳに放出されることで、コンデンサＣ２０からの電荷の移動は時刻ｔ２ｃ以降も継続される。
【００８０】
（期間Ｔ２３）
そして、電力回収用のコンデンサＣ１０の電圧がＶｓ／２よりも約１０（Ｖ）高くなる時刻ｔ２ｂで、インダクタＬ１１を介してのコンデンサＣ１０への電荷の供給は停止し、電力回収用のコンデンサＣ１０の電圧はＶｓ／２よりも約１０（Ｖ）高い状態に維持される。
【００８１】
同様に、電力回収用のコンデンサＣ２０の電圧がＶｓ／２よりも約１０（Ｖ）低くなる時刻ｔ２ｂで、インダクタＬ２１を介してのコンデンサＣ２０からの電荷の放出は停止し、電力回収用のコンデンサＣ２０の電圧はＶｓ／２よりも約１０（Ｖ）低い状態に維持される。
【００８２】
（期間Ｔ５）
期間Ｔ５においても、電力回収用のコンデンサＣ１０、Ｃ２０の電圧を制御するために、電圧補助部１３０のスイッチング素子Ｑ１５および電圧補助部２３０のスイッチング素子Ｑ２６の制御を行っている。これを期間Ｔ５１、期間Ｔ５２、期間Ｔ５３の３つの期間に分けて説明する。
【００８３】
（期間Ｔ５１）
時刻ｔ５では、スイッチング素子Ｑ２１をＯＦＦにすることにより電力回収用のコンデンサＣ２０から維持電極２３への電荷の移動が停止するため、電力回収用のコンデンサＣ２０の電圧下降は止まる。そして時刻ｔ５から時刻ｔ５ａまでの期間Ｔ５１では、スイッチング素子Ｑ１５およびスイッチング素子Ｑ２６はＯＦＦのままであり、電力回収用のコンデンサＣ１０およびコンデンサＣ２０に電圧変動は生じない。
【００８４】
（期間Ｔ５２）
そして時刻ｔ５ａでスイッチング素子Ｑ２５をＯＮにする。これにより、電力回収用のコンデンサＣ２０はスイッチング素子Ｑ２５を介して電源ＶＳへ接続され、コンデンサＣ２０の電圧は急峻に上昇する。そして、本実施の形態では、期間Ｔ５２の途中の時刻ｔ５ｃにおいて、スイッチング素子Ｑ２５をＯＦＦにする。これによりコンデンサＣ２０は電源ＶＳとの接続を絶たれるが、インダクタＬ２１のインダクタンスにより、インダクタＬ２１を通ってコンデンサＣ２０へ向かう電荷の移動がただちに停止することはなく、新たな電荷が接地電位から汲み上げられスイッチング素子Ｑ２６の寄生ダイオードを通ってインダクタＬ２１に供給されることで、コンデンサＣ２０への電荷の移動は時刻ｔ５ｃ以降も継続される。なお、ここでの時刻ｔ５ｃは、インダクタＬ２１を通ってコンデンサＣ２０へ向かう電荷の移動が、時刻ｔ５ｂ、すなわち、電力回収用のコンデンサＣ２０の電圧が電源ＶＳの電圧値Ｖｓの半分のＶｓ／２よりも約１０（Ｖ）高くなる時点で停止するように設定する。
【００８５】
また、時刻ｔ５ａでスイッチング素子Ｑ１６をＯＮにする。これにより、電力回収用のコンデンサＣ１０はスイッチング素子Ｑ１６を介して接地され、コンデンサＣ１０の電圧は急峻に下降する。なお、スイッチング素子Ｑ１６は、上述と同様に、期間Ｔ５２の途中の時刻ｔ５ｃにおいてＯＦＦする。これによりコンデンサＣ１０は接地電位との接続を絶たれるが、インダクタＬ１１のインダクタンスにより、インダクタＬ１１を通過する電荷の移動がただちに停止することはなく、スイッチング素子Ｑ１５の寄生ダイオードを通って電源ＶＳに放出されることで、コンデンサＣ１０からの電荷の移動は時刻ｔ５ｃ以降も継続される。
【００８６】
（期間Ｔ５３）
そして、電力回収用のコンデンサＣ２０の電圧がＶｓ／２よりも約１０（Ｖ）高くなる時刻ｔ５ｂで、インダクタＬ２１を介してのコンデンサＣ２０への電荷の供給は停止し、電力回収用のコンデンサＣ２０の電圧はＶｓ／２よりも約１０（Ｖ）高い状態に維持される。
【００８７】
同様に、電力回収用のコンデンサＣ１０の電圧がＶｓ／２よりも約１０（Ｖ）低くなる時刻ｔ２ｂで、インダクタＬ１１を介してのコンデンサＣ１０からの電荷の放出は停止し、電力回収用のコンデンサＣ１０の電圧はＶｓ／２よりも約１０（Ｖ）低い状態に維持される。
【００８８】
このように、本実施の形態では、電圧補助部にインダクタを備えた構成とすることで、電力回収用のコンデンサＣ１０、Ｃ２０の電圧を制御する際に使用する電荷を接地電位から汲み上げることが可能となり、その分消費電力を削減することが可能となる。
【００８９】
なお、本実施の形態では、パネル１０の電極間容量Ｃｐの容量が約５０ｎＦであるものとして、インダクタＬ１０、Ｌ２０にそれぞれ０．６３μＨのインダクタを用い、電力回収部１１０、１２０における共振周期を約１．１μｓｅｃに設定している。また、電力回収用のコンデンサＣ１０、Ｃ２０にそれぞれ８μＦのコンデンサを用い、電源ＶＳの電圧値Ｖｓを約２００（Ｖ）に設定している。
【００９０】
そして、インダクタＬ１１、Ｌ２１のインダクタンスは、期間Ｔ２２、Ｔ５２における電力回収用のコンデンサＣ１０、Ｃ２０の電圧変動がＶｓの１０分の１の約２０（Ｖ）になるように設定している。このとき、インダクタＬ１１と電力回収用のコンデンサＣ１０との共振周期Ｔａの半分、およびインダクタＬ２１と電力回収用のコンデンサＣ２０との共振周期Ｔｂ（共振周期Ｔａと共振周期Ｔｂとは実質的に等しいので、以下「共振周期Ｔａｂ」として表す）の半分の時間で、電力回収用のコンデンサＣ１０、Ｃ２０の電圧変動がＶｓにほぼ等しくなるとすると、期間Ｔ２２、Ｔ５２の時間は、
ａｒｃｃｏｓ（１−１／１０）＝２５．８ｄｅｇ
２５．８ｄｅｇ／３６０ｄｅｇ＝０．０７１８
より、共振周期Ｔａｂの０．０７１８倍の時間とすればよい。本実施の形態では、期間Ｔ２２、Ｔ５２を約０．５μｓｅｃとしているので、インダクタＬ１１、Ｌ２１のそれぞれのインダクタンスをＬｏ、電力回収用のコンデンサＣ１０、Ｃ２０のそれぞれのキャパシタンスをＣｅとすると、共振周期を求める２π×√（Ｌｏ×Ｃｅ）の式より、
０．０７１８×２π×√（Ｌｏ×Ｃｅ）＝０．５μｓｅｃ
となる。したがって、インダクタＬ１１、Ｌ２１のそれぞれのインダクタンスＬｏは、
Ｌｏ＝１／Ｃｅ×｛０．５μ／（０．０７１８×２π）｝２
と表すことができる。そして、上述したように本実施の形態では、Ｃｅ＝８μＦなので、
Ｌｏ＝１／８μ×｛０．５μ／（０．０７１８×２π）｝２＝０．１５４μＨ
よって、インダクタＬ１１、Ｌ２１として、それぞれ０．１５４μＨのインダクタを用いればよい。
【００９１】
なお、本実施の形態では、放電ガスのキセノン分圧を１０％としたが、他のキセノン分圧であってもそのパネルに応じた駆動電圧に設定すればよい。
【００９２】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００９３】
本発明のパネルの駆動方法およびプラズマディスプレイ装置は、消費電力の削減とともにノイズの発生を低減して安定した維持放電を発生させることができ、画像表示品質のよいパネルの駆動方法およびプラズマディスプレイ装置として有用である。
【図面の簡単な説明】
【００９４】
【図１】本発明の実施の形態１におけるパネルの構造を示す分解斜視図
【図２】同パネルの電極配列図
【図３】本発明の実施の形態１におけるプラズマディスプレイ装置の回路ブロック図
【図４】本発明の実施の形態１におけるパネルの各電極に印加する駆動電圧波形図
【図５】本発明の実施の形態１におけるサブフィールド構成を示す図
【図６】本発明の実施の形態１における維持パルス発生回路の回路図
【図７】本発明の実施の形態１における維持パルス発生回路の動作を示すタイミングチャート
【図８】本発明の実施の形態２における維持パルス発生回路の回路図
【図９】本発明の実施の形態２における維持パルス発生回路の動作を示すタイミングチャート
【符号の説明】
【００９５】
１    プラズマディスプレイ装置
１０    パネル
２１    （ガラス製の）前面板
２２    走査電極
２３    維持電極
２４，３３    誘電体層
２５    保護層
２８    表示電極対
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
１００，２００    維持パルス発生回路
１１０，２１０    電力回収部
１２０，２２０    クランプ部
１３０，１３１，２３０，２３１    電圧補助部
Ｃ１０，Ｃ２０    （電力回収用）コンデンサ
Ｃｐ    電極間容量
Ｑ１１，Ｑ１２，Ｑ１３，Ｑ１４，Ｑ１５，Ｑ１６，Ｑ２１，Ｑ２２，Ｑ２３，Ｑ２４，Ｑ２５，Ｑ２６，Ｑ２８，Ｑ２９    スイッチング素子
Ｄ１１，Ｄ１２，Ｄ２１，Ｄ２２    （逆流防止用）ダイオード
Ｌ１０，Ｌ１１，Ｌ２０，Ｌ２１    インダクタ
【図１】
2007316490.tif 000003
【図２】
2007316490.tif 000004
【図３】
2007316490.tif 000005
【図４】
2007316490.tif 000006
【図５】
2007316490.tif 000007
【図６】
2007316490.tif 000008
【図７】
2007316490.tif 000009
【図８】
2007316490.tif 000010
【図９】
2007316490.tif 000011